(57)【要約】【課題】再熱方式の除湿機能を有する空気調和機において、居住者に潤い感を与えつつも、十分な体感を与えることができる除湿運転制御方法を提供する。【解決手段】除湿運転時にリモコンからの設定温度および設定湿度を検出し設定値になったかどうかを判定する温度湿度判定手段１２を備え、温度湿度判定手段１２の出力後に、圧縮機の回転数を所定の幅で変化させることにより、室内湿度を所定の幅で増減させるものであり、居住空間の雰囲気湿度にゆらぎを持たすことができ、居住者は雰囲気湿度が一定の時に比べ、皮膚表面での代謝が促進され肌に保有する水分量が増加し、肌のカサカサ感を感じさせなくすることができ、かつ平均湿度も上げないことから、充分な体感を与えることができ快適性を向上させることができる。【選択図】図１
2006112700.tif 000002
【特許請求の範囲】
【請求項１】
回転数が可変できる圧縮機と、室内温度センサと室内湿度センサと室内熱交換器と室内送風装置と室内風向装置からなる室内機と、室外熱交換器と室外送風装置からなる室外機と、膨張弁とで冷凍サイクルを構成し、前記室内熱交換器は再熱器および冷却器としてはたらく第１の熱交換器および第２の熱交換器で構成され、前記第１の熱交換器と前記第２の熱交換器の間には減圧装置および開閉手段を並列的に接続し、除湿運転時には前記減圧装置を経て冷媒が流れるように構成された再熱方式の除湿機能を有する空気調和機において、リモコンからの設定温度および設定湿度を検出し設定値になったかどうかを判定する温度湿度判定手段を備え、前記温度湿度判定手段の出力後に、前記圧縮機の回転数を所定の幅で変化させることにより、室内湿度を所定の幅で増減させることを特徴とする空気調和機の除湿運転制御方法。
【請求項２】
前記リモコンからの設定温度および設定湿度に応じて、室内湿度可変幅を決定することを特徴とする請求項１に記載の空気調和機の除湿運転制御方法。
【請求項３】
前記リモコンからの設定温度および設定湿度に応じて、室内湿度時間可変幅を決定することを特徴とする請求項１〜２に記載の空気調和機の除湿運転制御方法。
【請求項４】
回転数調整可能な室内送風装置を備えた空気調和機において、室内ファンを所定の幅で変化させることにより、室内湿度を所定の幅で増減させることを特徴とする請求項１〜３に記載の空気調和機の除湿運転制御方法。
【請求項５】
風向調整可能な室内風向装置を備えた空気調和機において、風向を所定の幅で変化させることにより、室内湿度を所定の幅で増減させることを特徴とする請求項１〜４に記載の空気調和機の除湿運転制御方法。
【請求項６】
回転数調整可能な室外送風装置を備えた空気調和機において、室外ファンを所定の幅で変化させることにより、室内湿度を所定の幅で増減させることを特徴とする請求項１〜５に記載の空気調和機の除湿運転制御方法。
【請求項７】
弁開度調整可能な膨張弁を備えた空気調和機において、弁開度を所定の幅で変化させることにより、室内湿度を所定の幅で増減させることを特徴とする請求項１〜６に記載の空気調和機の除湿運転制御方法。
【発明の詳細な説明】
【技術分野】
【０００１】
本発明は、空気調和機の除湿運転制御方法に関するものである。
【背景技術】
【０００２】
現在の空気調和機の除湿運転制御は、冷凍サイクル再熱除湿方式が主流になってきている。室内熱交換器としては再熱器および冷却器としてはたらく第１の熱交換器および第２の熱交換器で構成され、その間には減圧装置および開閉手段を並列的に接続し、冷房、暖房運転時には開閉手段を開にし、除湿運転時には開閉手段を閉にして減圧装置を経て冷媒が流れるように構成されている。この方式では、室温を一定に保ちながら湿度のみを下げる等温除湿が可能となり、さらに低い蒸発温度での運転が可能となるため除湿能力も大きくとれる。そして、圧縮機や送風機、膨張弁等を最適に制御することにより、どのような環境条件下でも除湿能力を調整し、使用者が好む湿度にて空調することができる（例えば、特許文献１参照）。
【特許文献１】特開２００２−８９９３３号公報
【発明の開示】
【発明が解決しようとする課題】
【０００３】
しかしながら、前記従来の構成では、除湿運転中に使用者がリモコンの湿度設定値を変更しない限り一定の湿度を保ち続け、特に設定湿度が低い場合はその環境下に居続ける居住者の肌はカサカサ感を覚え、段々と乾燥してくる。そうなった場合、居住者はリモコンにて湿度設定値を上げて室内湿度を高くすることにより、肌のカサカサ感を抑えようとするが、一定の環境下に居た居住者にとっては現状の湿度に慣れてしまっており、湿度を上げることは体感的に悪い影響を与え、快適性が損なわれるという課題を有していた。
【０００４】
本発明は、前記従来の課題を解決するもので、居住者に潤い感を与えつつも、十分な体感を与えることができる空気調和機の除湿運転制御方法を提供することを目的とする。
【課題を解決するための手段】
【０００５】
前記従来の課題を解決するために、本発明の空気調和機の除湿運転制御方法は、再熱方式の除湿機能を有する空気調和機において、除湿運転時にリモコンからの設定温度および設定湿度を検出し設定値になったかどうかを判定する温度湿度判定手段を備え、前記温度湿度判定手段の出力後に、前記圧縮機の回転数を所定の幅で変化させることにより、室内湿度を所定の幅で増減させることを特徴としたものである。
【０００６】
上記手段を用いることにより、居住空間の雰囲気湿度にゆらぎを持たすことができ、居住者は雰囲気湿度が一定の時に比べ、皮膚表面での代謝が促進され肌に保有する水分量が増加し、肌のカサカサ感を感じさせなくすることができ、かつ平均湿度も上げないことから、充分な体感を与えることができ快適に過ごすことができる。
【０００７】
さらに、本発明の空気調和機の除湿運転制御方法は、リモコンからの設定温度および設定湿度に応じて室内湿度可変幅や室内湿度時間可変幅を決定することを特徴としたものである。
【０００８】
上記手段を用いることにより、設定された湿度に応じて湿度のゆらぎ幅およびゆらぐ時間の幅を各々最適に設定できるため、より居住者に潤い感を与えつつ、十分な体感を与えることができ、より快適性を向上させることができる。
【０００９】
さらに、本発明の空気調和機の除湿運転制御方法は、回転数調整可能な室内送風装置および室外送風装置、風向調整可能な室内風向装置、弁開度調整可能な膨張弁を設けた空気調和機において、それぞれの制御手段を所定の幅で変化させることにより、室内湿度を所定の幅で増減させることを特徴したものである。
【００１０】
上記手段を用いることにより、雰囲気湿度を細かく、即応的にゆらがすことができるために、より快適な空間をつくりあげることができ、居住者への快適性をさらに向上させることができる。
【発明の効果】
【００１１】
本発明の空気調和機の除湿運転制御方法は、居住者に十分な潤い感を与えられるとともに、十分な体感を与えることができるため、快適性を大幅に向上させることができる。
【発明を実施するための最良の形態】
【００１２】
第１の発明は、除湿運転時にリモコンからの設定温度および設定湿度を検出し設定値になったかどうかを判定する温度湿度判定手段を備え、前記温度湿度判定手段の出力後に、圧縮機の回転数を所定の幅で変化させることにより、室内湿度を所定の幅で増減させることにより、居住空間の雰囲気湿度にゆらぎを持たすことができ、居住者は雰囲気湿度が一定の時に比べ、皮膚表面での代謝が促進され肌に保有する水分量が増加し、肌のカサカサ感を感じさせなくすることができ、かつ平均湿度も上げないことから、充分な体感を与えることができ快適に過ごすことができる。
【００１３】
第２、第３の発明は、リモコンからの設定温度および設定湿度に応じて室内湿度可変幅や室内湿度時間可変幅を決定することにより、設定された湿度に応じて湿度のゆらぎ幅およびゆらぐ時間の幅を各々最適に設定できるため、より居住者に潤い感を与えつつ、十分な体感を与えることができ、より快適性を向上させることができる。
【００１４】
第４〜７の発明は、回転数調整可能な室内送風装置および室外送風装置、風向調整可能な室内風向装置、弁開度調整可能な膨張弁を設けた空気調和機において、それぞれの制御手段を所定の幅で変化させることにより、雰囲気湿度を細かく、即応的にゆらがすことができるために、より快適な空間をつくりあげることができ、居住者への快適性をさらに向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の除湿運転制御方法を示すブロック図とタイミングチャートを示し、図２に同方法のフローチャートを示す。
【００１７】
図１、図２において、まずリモコン操作（ステップ２０１）により、運転モード、温度および湿度が設定される。除湿モードが指示された場合、室内温度および室内湿度を検出しながら（ステップ２０２、２０３）、リモコンで設定された温度および湿度になるように除湿運転される。そしてこれら入力部１１からの信号を基に、マイコン１２上の温度湿度判定手段により、その値がリモコン設定温度および設定湿度に到達したかどうかを判定し（ステップ２０４）、到達した場合は出力部１３上の圧縮機回転数制御手段にて圧縮機の回転数を現行の回転数ｆ０から所定の幅を持たした回転数ｆ１、ｆ２で所定の時間間隔ｔ１、ｔ２で変化させる（ステップ２０７）ことにより、蒸発器の顕熱能力をほぼ一定のままで潜熱能力の増減が可能となり、室内の温度を一定に保ちつつ、室内湿度のみを所定の幅ｔｗ１、ｔｗ２で増減させるという構成となっている。
【００１８】
以上のように、本実施の形態においては、設定温度、設定湿度到達後に、圧縮機の回転数を所定の幅で増減させ、湿度のみを増減させる構成をとっていることにより、居住空間の雰囲気湿度にゆらぎを持たすことができ、居住者は雰囲気湿度が一定の時に比べ、皮膚表面での代謝が促進され肌に保有する水分量が増加し、肌のカサカサ感を感じさせなくすることができ、かつ平均湿度も上げないことから、充分な体感を与えることができ快適に過ごすことができる。
【００１９】
（実施の形態２）
本発明の実施の形態２を上記実施の形態１と同様に図１、図２をもって説明する。なおステップ２０１〜２０４、２０７については上記実施の形態１と同じであるので省略する。
【００２０】
本実施の形態の制御は、リモコンからの設定温度および設定湿度応じて、室内湿度可変幅決定手段からの出力により室内湿度のゆらぎ幅ｔｗ１、ｔｗ２を変化させている（ステップ２０５）。低温低湿度設定時には、肌の乾燥度合いが高いため、ゆらぎ幅を大きく設定し、高温高湿度設定時には、ゆらぎ幅を小さく設定することにより、体感がさらに良くなり快適性が向上できる。なお、ｔｗ１、ｔｗ２は等間隔である必要は無い。さらに、リモコンからの設定温度および設定湿度に応じて、室内湿度時間可変幅決定手段からの出力によりの室内湿度のゆらぎ時間間隔ｔ１、ｔ２を変化させている（ステップ２０６）。ｔ１とｔ２の相関関係は、低湿度の時はｔ１を長く、高湿度のときはｔ１を短くすることが、快適性の面で好ましくなる。
【００２１】
以上のように、本実施の形態においては、リモコンからの設定温度および設定湿度に応じて室内湿度可変幅や室内湿度時間可変幅を決定する構成をとることにより、設定された湿度に応じて湿度のゆらぎ幅およびゆらぐ時間の幅を各々最適に設定できるため、より居住者に潤い感を与えつつ、十分な体感を与えることができ、より快適性を向上させることができる。
【００２２】
（実施の形態３）
本発明の実施の形態３を上記実施の形態１、２と同様に図１、図２をもって説明する。なおステップ２０１〜２０７については上記実施の形態１または２と同じであるので省略する。
【００２３】
本実施の形態の制御は、室内湿度を増減させる手段として、圧縮機回転数制御の他に室内ファン速制御（ステップ２０８）、室内風向制御（ステップ２０９）、室外ファン速制御（ステップ２１０）および膨張弁弁開度制御（ステップ２１１）により、各制御値を変化させることにより、蒸発圧力すなわち潜熱能力を細かく調整することができるため、湿度ゆらぎより正確にかつ即応的に制御することができ、快適性がさらに向上する。
【００２４】
以上のように、本実施の形態においては、回転数調整可能な室内送風装置および室外送風装置、風向調整可能な室内風向装置、弁開度調整可能な膨張弁を設けた空気調和機において、それぞれの制御手段を所定の幅で変化させる構成をとることにより、雰囲気湿度を細かく、即応的にゆらがすことができるために、より快適な空間をつくりあげることができ、居住者への快適性をさらに向上させることができる。
【産業上の利用可能性】
【００２５】
以上のように、本発明にかかる空気調和機の除湿運転制御方法は、居住者に十分な潤い感を与えられるとともに、十分な体感を与えることができるため、快適性を大幅に向上させることができるので、種々の空気調和機に適用できる。
【図面の簡単な説明】
【００２６】
【図１】本発明の実施の形態１〜３における空気調和機の除湿運転制御方法を示すブロック図およびタイミングチャート
【図２】本発明の実施の形態１〜３における空気調和機の除湿運転制御方法を示すフローチャート
【符号の説明】
【００２７】
１１    入力部
１２    マイコン
１３    出力部
ｆ０    安定時の圧縮機回転数
ｆ１    所定の幅に上げた圧縮機回転数
ｆ２    所定の幅に下げた圧縮機回転数
ｔｗ０  湿度設定値
ｔｗ１  所定の幅に下げた湿度設定値
ｔｗ２  所定の幅に上げた湿度設定値
ｔ１    湿度時間可変幅１
ｔ２    湿度時間可変幅２
【図１】
2006112700.tif 000003
【図２】
2006112700.tif 000004